(57)【特許請求の範囲】
【請求項１】
両端部と側面の半分の長さを逢着し残りの半分の長さを開口部とした袋状に形成してなり、前記開口部内面の一方側の端縁部に面ファスナーを構成するループ面部又はフック面部を固着するとともに、幅方向の一端部を開口部内面に固着し、反対側の端部を開口部から突出する長さのフリーな状態とし、前記フリーな状態の端部は、開口部内において内側に折り曲げたとき、ウィンドウウォッシャーホルダーの差込部に被さる大きさであって、前記ループ面部又はフック面部が対向する側と接合するように形成されており、前記開口部内面の対向側の端縁部に固着するフック面部又はループ面部は、全体が開口部内面に固着されていることを特徴とするウィンドウウォッシャーカバー。
【請求項２】
開口部の端部内側には、ゴムバンドが取り付けられており、前記ゴムバンドの輪の向きが装着したウィンドウウォッシャーホルダーの差込部の端部を嵌め込むことができるように、ウィンドウウォッシャーカバーの長さ方向に向けて取り付けられていることを特徴とする請求項１に記載のウィンドウウォッシャーカバー。
【発明の詳細な説明】
【技術分野】
【０００１】
この発明は、窓ガラスの清掃に際し、手作業による清掃用器具として用いるウィンドウウォッシャーに係り、詳しくは建物の窓ガラスの清掃において、ウィンドウスクイジーと組み合わせて使用され、Ｔ字型のウィンドウウォッシャーホルダーを差し込んで使用される袋状のウィンドウウォッシャーカバーに関するものである。
【背景技術】
【０００２】
従来、建物の窓ガラスの清掃は、手作業によって行われることがあり、手作業による清掃においては、ガラス表面の埃や塵などの汚れを落とす清掃用具としてウィンドウウォッシャーが使用されている。ガラス表面に付着している埃や塵を乾いた布で拭き取るとガラス表面を傷つけるおそれがある。そこで、窓ガラスの清掃においては、まずガラス表面を洗浄液で濡らして拭き取り、その後にぬれたガラス表面をウィンドウスクイジーにより拭き取ることが行われている。
【０００３】
ガラス表面の汚れを落とすのに用いられる従来のウィンドウウォッシャーは、袋状の両端と側面の片側半分が綴じられており、側面の片側半分に開口部が設けられたウィンドウウォッシャーカバーと、握り部と差込部によって形成されたＴ字型のウィンドウウォッシャーホルダーとからなり、前記ウィンドウウォッシャーカバーの開口部から前記差込部を差し込み、開口部分を閉じることによって装着される。
【０００４】
図４は、従来のウィンドウウォッシャーの一例を示す説明用の斜視図である。側面の約半分を開口させたウィンドウウォッシャーカバー１の前記開口部２からウィンドウウォッシャーホルダー３の差込部４を差しこみ、開口部２を面ファスナー５によって綴じている。前記面ファスナー５は、一方側の開口部端縁に固着したループ面部５ａと、対向する他方側の開口部端縁の表面に固着したフック面部５ｂとによって形成される。
【０００５】
前記面ファスナー５は、合成樹脂シートによって形成されており、ループ面部５ａは、ウィンドウウォッシャーカバー１の表面側においてフック面部５ｂに貼り付けられることになるから、面ファスナー５は全体として外側に露出することになる。
【０００６】
また、ウィンドウウォッシャーカバー１の開口部２を綴じる手段としては、前記面ファスナー５の他にホック６が使用されている。ホック６は、図６に示すように、メス部６ａとオス部６ｂとは、外側から止め金６ｃによって固着されるので、止め金６ｃがウィンドウウォッシャーカバー１の外側に露出することになる。
【先行技術文献】
【特許文献】
【０００７】
なし、
【発明の概要】
【発明が解決しようとする課題】
【０００８】
従来使用されている図示するようなウィンドウウォッシャーカバーでは、使用中にウィンドウウォッシャーホルダーによって外側に押し付けられる力が作用する。開口部に押し付けられるような力が作用すると、面ファスナー５はカバーの外側で張り合わせられているので、開口部では面ファスナーの外側に対して引き離す方向の力となる。このような引き離す方向の力に対しては、当然ながら十分な抵抗力がない。
【０００９】
面ファスナーは平行に引っ張る力に対しては十分抵抗するが、互いに垂直に引き剥がす方向に対しては、容易に引き離されてしまう。このために、面ファスナー５のメス面部６ａとオス面部６ｂが引き剥がされることがあり、ウィンドウウォッシャーカバー１がズレたり、ウィンドウウォッシャーホルダー２が外れたりして窓の清掃作業がスムーズにできなかったり、清掃作業を中断しなければならないという問題がある。
【００１０】
また、ウィンドウウォッシャーカバー１の開口部２をホック６で綴じる場合にも、面ファスナー５と同様に、使用中にウィンドウウォッシャーホルダー３の差込部４によって開口部では押し広げる力が作用するので、清掃作業中にホックが外れてしまうことがある。
【００１１】
さらに、従来使用されているウィンドウウォッシャーカバーは、開口部を面ファスナー５で綴じる場合も、ホック６で綴じる場合も共に、それぞれ外側に露出しているために、清掃作業中に窓ガラス表面を傷つけることがある。近年では、建物のガラス窓は、赤外線防止や汚れ防のために、表面に塗装が施されたり、フィルムが貼られたりしている。このために、ウィンドウウォッシャーカバーに突起物等があると、窓ガラス表面の塗装やフィルムを傷つけることがある。
【００１２】
この発明はかかる現況に鑑みてなされたもので、ウィンドウウォッシャーカバーの開口部を綴じる手段を外側に露出させることなく簡単に装着することができるウィンドウウォッシャーカバーを提供するものである。また、使用中にもウィンドウウォッシャーカバーからウィンドウウォッシャーホルダーが外れることがなく、さらに、窓ガラス表面を傷つけることのないウィンドウウォッシャーカバーを提供するものである。
【課題を解決するための手段】
【００１３】
この発明に係るウィンドウウォッシャーカバーは、両端部と側面の半分の長さを逢着し残りの半分の長さを開口部とした袋状に形成してなり、前記開口部内面の一方側の端縁部に面ファスナーを構成するループ面部又はフック面部を固着するとともに、幅方向の一端部を開口部内面に固着し、反対側の端部を開口部から突出する長さのフリーな状態とし、前記フリーな状態の端部は、開口部内において内側に折り曲げたとき、ウィンドウウォッシャーホルダーの差込部に被さる大きさであって、前記ループ面部又はフック面部が対向する側と接合するように形成されており、前記開口部内面の対向側の端縁部に固着するフック面部又はループ面部は、全体が開口部内面に固着されていることを特徴とする。
【００１４】
開口部の端部内側には、ゴムバンドが取り付けられており、前記ゴムバンドの輪の向きが装着したウィンドウウォッシャーホルダーの差込部の端部を嵌め込むことができるように、ウィンドウウォッシャーカバーの長さ方向に向けて取り付けられていることが好ましい。
【発明の効果】
【００１５】
面ファスナーを構成するループ面部とフック面部は、ウィンドウウォッシャーカバーの内面において貼り合せられているから外側に露出することがない。従って、面ファスナーによって窓ガラス表面を傷つけることがない。また、端部がフリーな状態の一方側のループ部又はフック部は、ウィンドウウォッシャーホルダーの差込部によって外側に押し付けられると、貼りあわせられている他方のフック面部又はループ面部を圧着する力となるので、清掃作業中にウィンドウウォッシャーカバーが捩れたり、ウィンドウウォッシャーホルダーの差込部が外れたりすることがない。さらに、ウィンドウウォッシャーカバーの開口部側の端部にゴムバンドを取り付けた場合には、前記ゴムバンドがウィンドウウォッシャーホルダーの差込部の端部を保持するので、より安定した状態で使用することができる。
【図面の簡単な説明】
【００１６】
【図１】実施形態に係るウィンドウウォッシャーカバーの開口部を開口させた上面斜視図である。
【図２】同じくウィンドウウォッシャーカバーの開口部の断面図である。
【図３】ウィンドウウォッシャーホルダーに取り付けた状態の一部断面図である。
【図４】従来のウィンドウウォッシャーの説明用斜視図である。
【図５】同じく開口部における面ファスナーの取り付け状態を示す断面図である。
【図６】同じく開口部におけるフックの取り付け状態を示す断面図である。
【発明を実施するための形態】
【００１７】
以下に、この発明に係るウィンドウウォッシャーカバーを図示する実施形態について説明する。図１に示すように、ウィンドウウォッシャーカバー１０は、両端部と側面の半分は縫着されて袋状に形成されており、側面のほぼ半分の長さを開口させて開口部１１としている。
【００１８】
前記ウィンドウウォッシャーカバー１０は、従来と同様に片面（表面）を起毛させた繊細な起毛布で形成されており、毛は、例えば、アクリル製であって柔らかく高い吸水性を有している。起毛布で形成されているために、ガラス表面に水や洗剤の希釈液をムラなく塗布することができる。なお、ウィンドウウォッシャーカバー１０の布の材質や種類については特に限定されない。
【００１９】
ウィンドウウォッシャーカバー１０の開口部１１の内面に面ファスナー１３を構成するループ面部１４とフック面部１５が固着されている。前記ループ面部１４は、幅方向の取付部１４ａが開口部１１の内面端縁部に固着されており、反対側の端部１４ｂは、開口部１１から突出する長さのフリーな状態に形成されている。そして、フリーな状態の先端部１４ｂは、開口部１１内において内側に折り曲げたときループ面が外側（フック部側と接合する側）となるように固着されている。
【００２０】
前記ループ面部１４は、開口部１１の全長に渡る長さであってもよく、開口部１１の一部であってもよい。また、ループ面部１４は、複数に分割して固着したものであってもよい。また、ループ面部１４のフリーな状態の端部１４ｂは、装着したウィンドウウォッシャーホルダーの差込部の外面の一部に被せられる突出長さであって、１〜４ｃｍ、好ましくは１．５〜２．５ｃｍの突出長さとする。
【００２１】
一方、面ファスナー１３を構成するフック面部１５は、ループ面部１４と対向する側の開口部１１の内面端縁部に固着されており、フック面部１５の全面が開口部１１から突出することなく固着されている。前記フック面部１５の幅及び長さは、前記ループ面部１４に対応して形成されている。
【００２２】
上記実施形態では、先端部をフリーな状態に突出させたのはループ面部１４とし、フック面部１５側を開口部１１から突出しない構成としたので、ループ面部１４とフック面部１５が僅かにずれて張り合わせられても、フック面部１５は露出することがないので他の物品に付着することがない。その理由は、フック面部は他のものに引っ掛かって付着するが、ループ面部は他のものに引っ掛かることが少ないからである。
【００２３】
この発明は実施形態に限定されるものではなく、ループ面部１４とフック面部１５とは互いに逆の位置に取り付け、フック面部１５ａの端部をフリーな状態としてもよい。
【００２４】
さらに、図１及び図２に示すように、ウィンドウウォッシャーカバー１０の開口部１１の端部内側には、ゴムバンド１７が取り付けられている。前記ゴムバンド１７の輪の向きは、ウィンドウウォッシャーカバー１０の長さ方向に向けて取り付けられており、装着したウィンドウウォッシャーホルダーの差込部の端部を嵌め込むことができる。
【００２５】
上記のようにゴムバンド１７を取り付けた場合には、ウィンドウウォッシャーホルダーの差込部の端部が保持されるので、ウィンドウウォッシャーカバー１０内部での差込部の移動が制限され、開口部１１を押し広げるような力を押さえることができる。なお、上記ゴムバンド１７の取り付けは省略することは可能である。
【００２６】
次に、上記実施形態に係るウィンドウウォッシャーカバー１０をＴ字型ウィンドウウォッシャーホルダーに装着して使用する場合について説明する。まず、ウィンドウウォッシャーカバー１０の開口部１１からウィンドウウォッシャーホルダー２０の差込部２１の一端を差し込んで袋状に綴じられている端部に突き当てる。このとき、ハンドグリップ２２がウィンドウウォッシャーカバー１０の中央に位置する。
【００２７】
次いで、面ファスナー１３を構成するループ面部１４を差込部２１の外面に被せ、そのままループ面部１４とフック面部１５とを貼り合わせればよい。また、ゴムバンド１７を取り付けてある場合には、ループ面部１４を被せる前に差込部２１の端部にゴムバンド１７を装着し、その後、ループ面部１４を差込部２１に被せてフック面部１５と貼り合わせればよい。
【００２８】
面ファスナー１３は，構成する一方側が差込部２１の外面に被せられ、他方の面部と張り合わせられているので、差込部２１によって開口部１１を押し広げるような力が作用しても、ループ面部１４とフック面部１５には圧着するように押圧するだけであるから、フック面部１５を引き離すことにはならない。従って、清掃作業中に開口部１１に強い力が作用しても、開口部１１は開口することがないとともに、差込部２１が外れることもない。
【００２９】
また、面ファスナー１３は、開口部１１の内側において貼り合わせられて外面には露出しないから、面ファスナー１３が窓ガラス表面に傷をつけたり、他のものに引っ掛かることもない。
【符号の説明】
【００３０】
１０：ウィンドウウォッシャーカバー
１１：開口部  
１３：面ファスナー
１４：ループ面部
１５：フック面部  
１７：ゴムバンド
【図１】
0005392626.tif 000002
【図２】
0005392626.tif 000003
【図３】
0005392626.tif 000004
【図４】
0005392626.tif 000005
【図５】
0005392626.tif 000006
【図６】
0005392626.tif 000007